(57)【要約】【課題】一つのポンプ取付台を単独で使用することも、複数台並べて使用することもできるようにし、マンホールポンプ装置からマンホール以外のピットにも必要に応じて何個でも並べて設置できるポンプ取付台及び該ポンプ取付台を使用したマンホールポンプ装置を提供すること。【解決手段】ポンプの吸込口を挿入する円筒状の予旋回凹部７と該予旋回凹部７に液を流入させる液流入路部１４を一体に形成され、該液流入路部１４がポンプ取付用着脱装置５の中心線Ｃに対して略平行に配置され、該液流入路部１４からの液が予旋回凹部７にその内壁面の接線方向に流入するように構成されたポンプ装置用のポンプ取付台２であって、ポンプ取付台２をマンホール１内に同一方向に並べて配置した際、予旋回凹部７の中心Ｂがをポンプ取付用着脱装置５の中心線Ｃに対して、液流入路部１４側の方向に所定寸法Ｄに片寄るように構成した。【選択図】図４
2006307514.tif 000002
【特許請求の範囲】
【請求項１】
ポンプの吸込口を挿入する円筒状の予旋回凹部と該予旋回凹部に液を流入させる液流入路部を一体に形成され、該液流入路部がポンプ取付用着脱装置の中心線に対して略平行に配置され、該液流入路部からの液が前記予旋回凹部にその内壁面の接線方向に流入するように構成されたポンプ装置用のポンプ取付台であって、
前記ポンプ取付台をマンホール内に同一方向に並べて配置した際、前記予旋回凹部の中心をポンプ取付用着脱装置の中心に対して、前記液流入路部側の方向に所定寸法片寄るように構成したことを特徴とするポンプ取付台。
【請求項２】
請求項１に記載のポンプ取付台において、
前記ポンプ取付台が繊維強化プラスチックで形成されていることを特徴とするポンプ取付台。
【請求項３】
マンホール内にポンプ取付用着脱装置、ポンプ取付台、及びポンプを配設した構成のマンホールポンプ装置において、
前記ポンプ取付台として前記請求項１又は２に記載のポンプ取付台を用い、該ポンプ取付台をマンホール内に同一方向に並べて配置したことを特徴とするマンホールポンプ装置。
【発明の詳細な説明】
【技術分野】
【０００１】
本発明は、下水中継用水槽、汚水排水用水槽及びマンホールポンプ装置のマンホール内に設置して使用するポンプ取付台に関するものであり、マンホール内における油脂などの有機質成分の流入によるスカム形成をできるだけ少なくし得るように工夫されたポンプ取付台及び該ポンプ取付台を用いたマンホールポンプ装置に関するものである。
【背景技術】
【０００２】
図１は乃至図３は、この従来のこの種のマンホールポンプ装置の構成を示す図で、図１はマンホールポンプ装置の全体構成を示す縦断面図、図２は水平断面図、図３は下部の縦断面図である。マンホール１の底部にポンプ取付台２が据え付けられいる。該ポンプ取付台２はマンホール１が完成した後でも、マンホールの上端開口部４から据え付けができるように、図２に示すように、Ａ−Ａ線上で分割して繊維強プラスチックで形成されている。分割された各ポンプ取付台２−１の略中央部にポンプ取付用着脱装置５が載置される平坦なポンプ取付用着脱装置載置部３が形成され、該ポンプ取付用着脱装置載置部３の端部に隣接して円筒状の予旋回凹部７が形成されている。なお、１４はポンプ取付台２上に流入した液を予旋回凹部７に導くための液流入路部である。
【０００３】
上記構成のポンプ取付台２−１を２個、マンホール１の底部に並べて配置して全体として平面円形のポンプ取付台２となる。ポンプ９やポンプ取付用着脱装置５の荷重を支えるためとマンホール１の底部に固定するため、ポンプ取付用着脱装置載置部３の下部に金属製の架台６設け、さらにポンプ取付台２の下面とマンホール１の底部壁面との間にコンクリート１０を充填している。ポンプ９の据え付けは鎖（図示せず）でポンプ９を吊下げ、更にガイドパイプ１２を上下するスライドガイド１３でポンプ９をガイドパイプ１２に沿って案内し、ポンプ９の吐出口がポンプ取付用着脱装置５に一致するまで下降させ、ポンプ９をポンプ脱着装置５に装着する。これにより、ポンプ９の吸込口９ａはポンプ取付台２−１の予旋回凹部７に挿入され配置される。このようにして２台のポンプ９をそれぞれポンプ取付台２−１、２−１に据え付ける。
【発明の開示】
【発明が解決しようとする課題】
【０００４】
上記のように従来のマンホールポンプ装置用のポンプ取付台２はマンホール１が完成した後でも、マンホール１の上端開口部４から据え付けができるように、図２に示すように平面形状が円形のポンプ取付台２をＡ−Ａ線上で分割して製作していた。しかしながら、この場合分割したポンプ取付台２−１、２−１は必ず一組として使用する必要がある。この場合、例えば大きなマンホールの底部に３個のポンプ取付台を設置して使用する場合等は対応できないという問題があった。
【０００５】
本発明は上述の点に鑑みてなされたもので、一つのポンプ取付台を単独で使用することも、複数台並べて使用することもどちらにも使用できるようにし、マンホールポンプ装置からマンホール以外のピットにも必要に応じて何個でも並べて設置できるポンプ取付台及び該ポンプ取付台を使用したマンホールポンプ装置を提供することを目的とする。
【課題を解決するための手段】
【０００６】
上記課題を解決するため請求項１に記載の発明は、ポンプの吸込口を挿入する円筒状の予旋回凹部と該予旋回凹部に液を流入させる液流入路部を一体に形成され、該液流入路部がポンプ取付用着脱装置の中心線に対して略平行に配置され、該液流入路部からの液が前記予旋回凹部にその内壁面の接線方向に流入するように構成されたポンプ装置用のポンプ取付台であって、前記ポンプ取付台をマンホール内に同一方向に並べて配置した際、前記予旋回凹部の中心をポンプ取付用着脱装置の中心に対して、前記液流入路部側の方向に所定寸法片寄るように構成したことを特徴とする。
【０００７】
請求項２に記載の発明は、請求項１に記載のポンプ取付台において、前記ポンプ取付台が繊維強化プラスチックで形成されていることを特徴とする。
【０００８】
請求項３に記載の発明は、上記課題を解決するため請求項１に記載の発明は、マンホール内にポンプ取付用着脱装置、ポンプ取付台、及びポンプを配設した構成のマンホールポンプ装置において、前記ポンプ取付台として前記請求項１又は２に記載のポンプ取付台を用い、該ポンプ取付台をマンホール内に同一方向に並べて配置したことを特徴とする。
【発明の効果】
【０００９】
請求項１及び２に記載の発明は、ポンプ取付台をマンホール内に同一方向に並べて配置した際、予旋回凹部の中心をポンプ取付用着脱装置の中心に対して、液流入路部側の方向に所定寸法片寄るように構成したので、同じポンプ取付台を同一方向に並べて、ポンプの据え付け間隔を可能な限り狭くして設置できるようになる。また、ポンプの吸込口を挿入する予旋回凹部の中心をポンプ取付用着脱装置の中心に対して、流入路部側の方向に所定寸法片寄るので、予旋回凹部で液の予旋回流が発生し易くなり、油脂などの有機質成分の流入によるスカム形成が少なくなるという効果が期待できる。
【００１０】
請求項３に記載の発明によれば、請求項１又は２に記載のポンプ取付台をマンホール内に同一方向に並べて配置したので、ポンプの据え付け間隔を可能な限り狭くして設置できるマンホールポンプ装置が提供できる。また予旋回凹部で液の予旋回流が発生し易くなるの有機質成分の流入によるスカム形成が少なくなる。
【発明を実施するための最良の形態】
【００１１】
以下、本発明の実施の形態例を図面に基づいて説明する。図４及び図５は本発明に係るポンプ取付台を使用したマンホールポンプ装置のマンホール底部の構成を示す図で、図４は平断面図、図５は縦断面図である。図４及び図５において、図１乃至図３と同一符号を付した部分は同一又は相当部分を示す。ポンプ取付台２は繊維強化プラスチックで形成されている。そして図４に示すように、平面形状の全体が長方形状で中央部に平坦なポンプ取付用着脱装置載置部３が設けられ、該ポンプ取付用着脱装置載置部３のポンプ取付台２の長手方向端部に隣接してポンプの吸込口が挿入される予旋回凹部７が設けられている。
【００１２】
また、ポンプ取付用着脱装置載置部３のポンプ取付台２の短手方向端部に隣接し、即ちポンプ取付用着脱装置５（図１及び図３参照）の中心線Ｃに略平行してポンプ取付台２上に流入した液を予旋回凹部７に導く液流入路部１４が設けられている。該液流入路部１４から予旋回凹部７に流入する液は該予旋回凹部７の内壁面の接線方向に流入するようになっている。
【００１３】
上記構成のポンプ取付台２を図４に示すようにマンホール１内に同一方向、即ち各ポンプ取付台２の長手方向をポンプ取付用着脱装置５の中心線Ｃの方向と一致させ、且つ該ポンプ取付台２と直交する方向に並べて配置した際、予旋回凹部７の中心Ｂがポンプ取付用着脱装置５（図１及び図３参照）の中心線より、流入路部１４側の方向に所定寸法Ｄだけ片寄るように、ポンプ取付台２を構成している。なお、上記例ではポンプ取付台２を繊維強化プラスチック製としたが、必要強度を満たすのではれば、他のプラスチックでも、又は他の材料でもよい。
【００１４】
ポンプ取付台２でポンプ９やポンプ取付用着脱装置５の荷重を支えるため（図１参照）とポンプ取付台２をマンホール１の底部に固定するため、図５に示すようにポンプ取付用着脱装置載置部３の下部に金属製の架台６設け、さらにポンプ取付台２の下面とマンホール１の底部壁面との間にコンクリート１０を充填している。ポンプ取付台２のポンプ取付用着脱装置載置部３の上にポンプ取付用着脱装置５を載置し、該ポンプ取付用着脱装置５にポンプ９を装着する点は図１及び図３の従来例と全く同様である。
【００１５】
上記のようにポンプ取付台２をマンホール１内に同一方向に並べて配置した際、図４に示すように、予旋回凹部７の中心Ｂがポンプ取付用着脱装置５の中心線Ｃに対して、液流入路部側１４の方向に所定寸法Ｄだけ片寄るように構成することにより、同じポンプ取付台２を同一方向に並べて、ポンプの据え付け間隔を可能な限り狭くして設置できるようになる。また、ポンプの吸込口を挿入する予旋回凹部７の中心をポンプ取付用着脱装置５の中心線Ｃに対して、流入路部側の方向に所定寸法Ｄだけ片寄らせるので、予旋回凹部７で液の予旋回流が発生し易くなり、油脂などの有機質成分の流入によるスカム形成が少なくすることが期待できる。
【００１６】
また、ポンプ取付台２を上記構成とすることにより、一つのポンプ取付台２を単独で使用することも、複数台並べて使用することもできるし、マンホールポンプ装置からマンホール以外のピットにも必要に応じて何個でも並べて設置できる。
【００１７】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００１８】
【図１】従来のマンホールポンプ装置の全体構成を示す縦断面図である。
【図２】従来のマンホールポンプ装置の水平断面図である。
【図３】従来のマンホールポンプ装置の下部縦断面図である。
【図４】本発明に係るマンホールポンプ装置のマンホール底部の構成を示す平断面図である。
【図５】本発明に係るマンホールポンプ装置のマンホール底部の構成を示す縦断面図である。
【符号の説明】
【００１９】
１      マンホール
２      ポンプ取付台
３      ポンプ取付用着脱装置載置部
４      上端開口部
５      ポンプ取付用着脱装置
６      架台
７      予旋回凹部
９      ポンプ
１０    コンクリート
１２    ガイドパイプ
１３    スライドガイド
１４    液流入路部
【図１】
2006307514.tif 000003
【図２】
2006307514.tif 000004
【図３】
2006307514.tif 000005
【図４】
2006307514.tif 000006
【図５】
2006307514.tif 000007